【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
植え込みリード線に無線エネルギーを供給するための装置であって：
該装置全体を患者の体内に植え込み可能にさせるように構成されたハウジング；
該ハウジング内に実質的に収容され、かつ該患者の体外に配置された供給源から放射される電磁エネルギーを非誘導的に受け取るように構成された、1つ以上の非ループアンテナ；
該1つ以上の非ループアンテナのそれぞれに接続され、かつ該1つ以上の非ループアンテナによって非誘導的に受信された該放射電磁エネルギーから電力及び励起波形を抽出するように構成された、電子回路；及び
実質的に中央である中空部の内部表面に沿って一定の間隔で配置され、かつ該患者の体の内部に該装置全体を植え込むためのハウジング内に収容された、1つ以上の接続パッドを備え、
該接続パッドが、該植え込みリード線の1つ以上の電極に接続して電気接続を形成し、該電気接続を介して該抽出された励起波形を該電子回路から、該植え込みリード線の電極に供給するように構成されており、該植え込みリード線が、内蔵されたエネルギー貯蔵要素を含まない本装置と分離している、前記装置。
【請求項２】
前記接続パッドが、該接続パッドと前記植え込みリード線の電極の少なくとも1つのコネクタとの間の形状適合によって、該少なくとも1つのコネクタに係合するように構成されている、請求項１記載の装置。
【請求項３】
前記接続パッドから前記植え込みリード線の電極の少なくとも1つのコネクタへの電気接続を形成する際に、係合した該接続パッド及び該少なくとも1つのコネクタを締め付ける少なくとも1つの止めねじをさらに備える、請求項２記載の装置。
【請求項４】
前記電子回路が、1つ以上のダイオード及び1つ以上の電荷平衡要素を備え、該1つ以上のダイオードが、電力及び励起波形を抽出するように構成され、かつ該1つ以上の電荷平衡要素が、該励起波形の前記接続パッドへの供給を促進するように構成されている、請求項１記載の装置。
【請求項５】
前記非誘導性アンテナが、それぞれ約0.25cm〜12cmの長さを有する2〜10の非誘導性アンテナを含む、請求項１記載の装置。
【請求項６】
前記接続パッドが、それぞれ1cm以下の長さを有する、互いに離間した2〜8の接続パッドを含む、請求項１記載の装置。
【請求項７】
前記ハウジングが、前記植え込みリード線の少なくとも一部を受容するように構成された遠位開口を有する生体適合性の中空管を備える、請求項１記載の装置。
【請求項８】
前記接続パッドが、前記中空管の内面の周りの互いに離間した周方向の接続パッドであり、かつ前記植え込みリード線の電極接点に係合するように構成されている、請求項７記載の装置。
【請求項９】
前記植え込みリード線が、複数の電極接点を有するパドルリード線を含み、前記接続パッドが、前記中空管の内面において互いに長手方向に離間し、かつ該パドルリード線の電極接点に係合するように構成されている、請求項７記載の装置。
【請求項１０】
前記中空管が、第1の管及び第2の管を有するY字形近位端部を備え、前記接続パッドが、該第1の管の内面及び該第2の管の内面に配置され、該第1の管の内面にある該接続パッドが、第1の植え込みリード線の電極の少なくとも1つのコネクタに係合するように構成され、かつ該第2の管の内面にある該接続パッドが、第2の植え込みリード線の電極の少なくとも1つのコネクタに係合するように構成されている、請求項７記載の装置。
【請求項１１】
前記ハウジングの長さが約10〜50cmである、請求項１記載の装置。
【請求項１２】
前記接続パッドが、約0.1〜1.0cmの距離で互いに離間している、請求項１記載の装置。
【請求項１３】
前記ハウジングが、12〜22ゲージのチューブを通過するのに十分に小さい直径を有する中空管を備える、請求項１記載の装置。
【請求項１４】
患者の体内の興奮性組織を調節するためのシステムであって：
該患者の体内の植え込みリード線に接続するためのコネクタ受容装置であって、該コネクタ受容装置全体が、該患者の体の内部に植え込み可能であり、該コネクタ受容装置が、
1つ以上の非ループアンテナ；
1つ以上の接続パッド；及び
該非誘導性アンテナ及び該接続パッドに接続された電子回路を備える、前記コネクタ受容装置；
該患者の体外に配置され、かつ電気エネルギー及び波形パラメータを含む入力信号を非誘導性結合によって該非ループアンテナに送信するように構成された、送信機を有する制御装置を備え；かつ
該電子回路が、該波形パラメータを、興奮性組織を調節するのに十分な1つ以上の電気インパルスに変換するように構成され；かつ
該接続パッドが、実質的に中央である中空部の内部表面に沿って配置され、かつ該コネクタ受容装置内に収容され、該接続パッドが、該植え込みリード線の1つ以上の電極に接続して電気接続を形成し、該電気接続を介して該1つ以上のパルスを該電子回路から、該植え込みリード線の電極に供給するように構成されており、該植え込みリード線が、内蔵されたエネルギー貯蔵要素を含まない該コネクタ受容装置と分離している、前記システム。
【請求項１５】
前記コネクタ受容装置が、前記受信アンテナ、接続パッド、及び電子回路を収容するエンクロージャを備え、該エンクロージャが、前記植え込みリード線の少なくとも一部を受容するように構成された遠位端部を有する実質的に中空の管を備える、請求項１４記載のシステム。
【請求項１６】
前記電子回路が、1つ以上のダイオード及び1つ以上の電荷平衡要素を含む、請求項１４記載のシステム。
【請求項１７】
前記制御装置が、約300MHz〜8GHzの周波数を有する搬送波信号によって前記入力信号を送信するように構成された送信アンテナを備える、請求項１４記載のシステム。
【請求項１８】
前記制御装置が、約10〜500Hzの周波数を有する電気インパルスを発生するように構成されたパルス発生器を備える、請求項１４記載のシステム。
【請求項１９】
前記制御装置が、前記入力信号を前記患者の皮膚外面から組織を介して標的部位まで少なくとも10cm送信するように構成されている、請求項１４記載のシステム。
【請求項２０】
患者の体内の興奮性組織を調節するための方法であって：
コネクタ受容装置の1つ以上の接続パッドを植え込み刺激装置の1つ以上の電極に接続するステップであって、該接続パッドが、実質的に中央である中空部の内部表面に沿って配置され、かつ該コネクタ受容装置内に収容されている、前記ステップ；
該コネクタ受容装置及び該植え込み刺激装置を、興奮性組織に隣接又は近接した該患者の体内の標的部位まで前進させて、該コネクタ受容装置全体及び該植え込み刺激装置が該患者の内部に埋め込まれるようにするステップ；
エネルギー及び波形パラメータを含む入力信号を、該患者の体外のある位置から該コネクタ受容装置の1つ以上の非ループアンテナに、非誘導性結合によって送信して、該波形パラメータを1つ以上の電気インパルスに変換し、該電気インパルスを該植え込み刺激装置の電極に印加するステップであって、該コネクタ受容装置が、内蔵されたエネルギー貯蔵要素を含まない、前記ステップ
を含む、前記方法。
【請求項２１】
前記接続するステップが、前記コネクタ受容装置の中空管の遠位端部を前記植え込み刺激装置の近位端部に係合させるステップを含む、請求項２０記載の方法。
【請求項２２】
前記接続するステップが、前記患者の体内の前記標的部位で行われる、請求項２０記載の方法。
【請求項２３】
前記入力信号を放射するステップが、約300MHz〜8GHzの周波数を有する搬送波信号に前記入力信号を乗せて放射するステップを含む、請求項２０記載の方法。